(57)【要約】【課題】  浴室に居る被監視者に異常が発生したことを通報する場合に、できるだけ誤報が発生しないようにする。【解決手段】  マットセンサＭが踏まれてから第一の所定時間が経過しても再び踏まれなかった場合に、浴室内の照明灯Ｌの電源スイッチＳの状態を照明灯状態判定部９にて調べ、電源スイッチＳが入りになっているときに、居室に電源スイッチＳを切るように案内する報知が行われる。そして、第二の所定時間が経過しても電源スイッチＳが切りにならない場合には、被監視者に異常が発生したことを外部に通報するようにしている。これにより、被監視者がマットセンサＭを踏み忘れた場合でも、浴室内の照明灯Ｌの状態により被監視者に異常が発生したか否かが判断され、監視者が電源スイッチＳを切り忘れた場合でも、報知が行われて第二の所定時間が経過してから外部に通報されるので、誤報の発生頻度を減らすことができる。【選択図】  図１
2010176502.tif 000002
【特許請求の範囲】
【請求項１】
浴室の出入口に設置され、前記浴室を利用する被監視者の荷重を検知するマットセンサと、
時間を計測するタイマと、
前記浴室内の照明灯の電源の入り切り状態を検出する検出部と、
前記浴室が設置された部屋内に設置され、前記照明灯の電源を切るように案内する報知を行う報知部と、
前記マットセンサが荷重を検知すると前記タイマを動作させ、前記タイマにより計測された時間が第一の所定時間以上であるか否かを判定する在室判定部と、
前記タイマにより計測された時間が第一の所定時間以上ではないと前記在室判定部にて判断した場合に、前記マットセンサが再び荷重を検知したとき、前記タイマの動作を停止するタイマ停止部と、
前記タイマにより計測された時間が第一の所定時間以上であると前記在室判定部にて判断した場合に、前記照明灯の電源が入りの状態であると前記検出部が判断したときに、前記タイマおよび前記報知部を動作させ、前記タイマにより計測された時間が第二の所定時間以上であるか否かを判定する照明灯状態判定部と、
前記タイマにより計測された時間が第二の所定時間以上であると前記照明灯状態判定部にて判断した場合に、前記照明灯の電源が入りの状態であると前記検出部が判断したときに、前記被監視者に異常が発生したことを外部に通報する制御部と、
を備えた浴室監視システム。
【発明の詳細な説明】
【技術分野】
【０００１】
本発明は、病院や介護施設などの浴室における患者や被介護者などの退室状況を監視する浴室監視システムに関する。
【背景技術】
【０００２】
従来、病院や介護施設、要介護者の居る家庭などでは、浴室に患者や被介護者（以下、まとめて被監視者と記載する）が一人で入室してから長時間経過した場合に、被監視者の安全性を確保するために、看護師や介護者（以下、まとめて監視者と記載する）が浴室に被監視者が居るか否か、浴室に被監視者が居る場合には安全か否かを監視する必要があった。
【０００３】
そこで、被監視者の入室を検知する入室検知センサと、被監視者の退室を検知する退室検知センサと、入室検知センサによる被監視者の入室の検知から計時を開始するタイマ手段とを備えた在室状況管理システムにて下記の動作を行わせることにより、被監視者を監視する方法があった。この在室状況管理システムでは、タイマ手段により計時された時間が設定時間以上となっても退室検知センサが被監視者の退室を検知しなかった場合に、被監視者に異常が発生したことを報知するようにしていた(例えば、特許文献１参照）。
【０００４】
また、特許文献１によれば、入室検知センサおよび退室検知センサをマットセンサにより構成したり、浴室内の照明灯の電源の入り切りの操作を検出する検出手段により構成したりすることが記載されている。
【先行技術文献】
【特許文献】
【０００５】
【特許文献１】特開２００２−３１２８１５号公報
【発明の概要】
【発明が解決しようとする課題】
【０００６】
しかしながら、特許文献１に記載の技術では、入室検知センサおよび退室検知センサをマットセンサにより構成した場合に、被監視者がマットセンサを踏み忘れることが考慮されていないので、入室時または退室時のみにマットセンサを踏んだときには、被監視者が退室しているにも関わらず、タイマ手段により計時された時間が設定時間以上となってしまうことがあった。そのため、被監視者に異常が発生したとの報知が誤報になってしまうという問題があった。
【０００７】
また、特許文献１に記載の技術では、入室検知センサおよび退室検知センサを浴室内の照明灯の電源の入り切りの操作を検出する検出手段により構成した場合に、被監視者が照明灯の電源を切り忘れたときには、被監視者が退室しているにも関わらず、タイマ手段により計時された時間が設定時間以上となってしまうことがあった。そのため、被監視者に異常が発生したとの報知が誤報になってしまうという問題があった。
【０００８】
本発明は、このような問題を解決するために成されたものであり、被監視者が長時間浴室に居ることを検知して被監視者に異常が発生したことを通報する場合に、できるだけ誤報が発生しないようにすることを目的とする。
【課題を解決するための手段】
【０００９】
上述した課題を解決するために、本発明では、浴室の出入口に設置されたマットセンサが踏まれてから第一の所定時間が経過してもマットセンサが再び踏まれなかった場合に、浴室内の照明灯の電源の状態を調べ、浴室内の照明灯の電源が入りの状態になっているときに、その浴室が設置されている部屋内に浴室内の照明灯の電源を切るように案内する報知を行う。そして、第二の所定時間が経過しても浴室内の照明灯の電源が切りの状態になっていない場合には、被監視者に異常が発生したことを外部に通報するようにしている。
【発明の効果】
【００１０】
上記のように構成した本発明によれば、被監視者が浴室への入室時にマットセンサを踏んでから第一の所定時間内に再びマットセンサを踏んだ場合には、正常に入浴が行われたと判断される。また、被監視者が浴室への入室時のみまたは退室時のみにマットセンサを踏んだ場合に、浴室内の照明灯の電源が切り状態であるときには、浴室に入室する際に被監視者が必ず浴室内の照明灯の電源を入り状態にすると考えられるため、単に被監視者がマットセンサを踏み忘れただけであると判断して、正常に入浴が行われたと判断される。
【００１１】
また、被監視者がマットセンサを一度踏んでから第一の所定時間内にマットセンサを踏まなかった場合に、浴室内の照明灯の電源が入り状態であるときには、被監視者が浴室内の照明灯の電源を切り忘れていると判断して、浴室内の照明灯の電源を切るように案内する報知が第二の所定時間に渡って居室内で行われる。ここで、単に被監視者がマットセンサを踏み忘れただけである場合には、案内を受けて被監視者が浴室内の照明灯の電源を切ると考えられるため、正常に入浴が行われたと判断される。また、被監視者が浴室内で倒れているような場合には、案内を受けても被監視者が浴室内の照明灯の電源を切ることができないので、被監視者に異常が発生したと判断して外部に通報される。
【００１２】
これにより、被監視者がマットセンサを踏み忘れた場合でも、浴室内の照明灯の状態により被監視者に異常が発生したか否かが判断されるので、誤報の発生頻度を減らすことができる。また、被監視者が照明灯の電源を切り忘れたときでも、部屋内に浴室内の照明灯の電源を切るように案内する報知が行われて第二の所定時間が経過してから被監視者に異常が発生したことが外部に報知されるので、誤報の発生頻度を減らすことができる。
【図面の簡単な説明】
【００１３】
【図１】本実施形態による浴室監視システムの構成の配置例を示す図である。
【図２】本実施形態による浴室監視システムの構成例を示すブロック図である。
【図３】本実施形態による浴室監視システムの動作事例を示す図である。
【図４】本実施形態による浴室監視システムの動作を示すフローチャートである。
【発明を実施するための形態】
【００１４】
以下、本発明の一実施形態を図面に基づいて説明する。図１は、本実施形態による浴室監視システムの構成の配置例を示す図である。また、図２は、本実施形態による浴室監視システムの構成例を示すブロック図である。図１および図２に示すように、本実施形態による浴室監視システムは、被監視者の居室に設置された居室装置１と監視者である管理人が常駐している管理人室に設置された緊急通報装置とが伝送線により接続されている。
【００１５】
また、居室内の浴室の出入口近傍には、マットセンサＭが設置されている。マットセンサＭは、被監視者の荷重を検知するためのものであり、周知の技術が用いられる。ここで、マットセンサＭは、浴室の出入口近傍に設置されているため、防水性を持っていることが好ましい。また、被監視者がマットセンサＭ上で足踏みしたり、着替えなどにより短い間隔で何度もマットセンサＭを踏んだりすることが考えられるため、マットセンサＭは、最初に被監視者の荷重を検知してからしばらくの間（例えば、３分程度）、荷重の検知を停止するようにしている。なお、浴室から出る被監視やが足を拭くことができるように、マットセンサＭの上に足拭き用のマットが設置されていても良い。このようにすれば、被監視者が浴室を退室する際に、マットセンサＭ上に足を載せる可能性が高くなる。
【００１６】
また、居室内の浴室の中には、照明灯Ｌが設置されている。この照明灯Ｌは、浴室の出入口近傍に設置された電源スイッチＳの入り／切りの操作により点灯／消灯する。ここで、電源スイッチＳは、浴室の中ではなく、浴室の外に設けられる。これにより、浴室を利用する被監視者は、電源スイッチＳを操作して照明灯Ｌを点灯させないと浴室を利用することができない状態になる。また、居室内には、スピーカ（特許請求の範囲の報知部に該当する）が設けられており、後述する報知が行われる。ここで、スピーカは、居室内に居る被監視者の利用頻度が高い部屋に設置されていることが好ましい。また、それ以外の部屋に設置されている場合には、被監視者が居室内の何処に居ても聞こえるような音量で報知を行うことが好ましい。
【００１７】
また、管理人室に設置された緊急通報装置は、表示ディスプレイおよびスピーカを備えており、居室から通報信号を入力すると、通報信号に含まれる識別信号を解析して居室を特定し、その居室に居る被監視者に異常が発生したことを報知する。
【００１８】
居室装置１は、制御部２、インターフェース３、タイマ４、検出部５、報知部６、在室判定部７、タイマ停止部８、照明灯状態判定部９を備えて構成されている。制御部２は、居室装置１の各構成要素を制御するためのものであり、ＣＰＵ（Central Processing Unit）などにより構成されている。インターフェース３は、居室装置１と緊急通報装置とを接続して通信を行うためのものである。また、インターフェース３は、マットセンサＭを接続している。タイマ４は時間を計測するためのものである。
【００１９】
検出部５は、電源スイッチＳの入り切りの状態を検出するためのものであり、換言すると、照明灯Ｌが点灯しているか消灯しているかを検出するためのものである。報知部６は、後述する条件の下で照明灯Ｌの電源が点灯したままである場合に、照明灯Ｌの電源スイッチＳを切るように案内する報知を行うためのものである。ここで、報知部６としては、前述したようなスピーカなどが用いられる。このスピーカは、「浴室の照明灯が点灯したままです。消灯してください。」などといった音声を出力する。
【００２０】
在室判定部７は、マットセンサＭが被監視者の荷重を検知した場合に、タイマ４を動作させ、タイマ４により計測された時間が第一の所定時間以上であるか否かを判定する。ここで、第一の所定時間は、被監視者が浴室に居るであろう時間を大幅に越えている時間であることが好ましい。例えば、第一の所定時間としては、２時間程度の時間が設定される。また、在室判定部７もＣＰＵなどにより構成されている。なお、第一の所定時間を居室装置１または管理人室の緊急通報装置にて異なる値に設定できるようにしても良い。
【００２１】
タイマ停止部８は、ＣＰＵなどにより構成されており、タイマ４により計測された時間が第一の所定時間以上ではないと在室判定部７により判断した場合に、マットセンサＭが再び被監視者の荷重を検知したとき、タイマ４の動作を停止する。換言すると、タイマ４により計測された時間が第一の所定時間以上になる前に、マットセンサＭが再び被監視者の荷重を検知した場合に、タイマ停止部８は、タイマ４の動作を停止する。これは、被監視者が浴室への入室時にマットセンサＭを踏み、第一の所定時間以上になる前に浴室を退室してマットセンサＭを再び踏んだことを示している。
【００２２】
照明灯状態判定部９は、照明灯Ｌの電源スイッチＳの状態を判定するためのものであり、ＣＰＵなどにより構成される。具体的には、照明灯状態判定部９は、タイマ４により計測された時間が第一の所定時間以上であると在室判定部７により判断した場合に、照明灯Ｌの電源スイッチＳが入りの状態であると検出部５が判断したとき、タイマ４および報知部６を動作させる。また、照明灯状態判定部９は、タイマ４により計測された時間が第二の所定時間以上であるか否かを判定する。ここで、照明灯状態判定部９は、マットセンサＭが被監視者の荷重を検知してから第一の所定時間が経過しても、再びマットセンサＭが被監視者の荷重を検知しなかった場合に、浴室内の照明灯Ｌの電源スイッチＳが入りの状態であるか切りの状態であるかを調べる。そして、照明灯状態判定部９は、照明灯Ｌの電源スイッチＳが入りの状態である場合に、タイマ４および報知部６を動作させて、第二の所定時間が経過するか否かを判定する。
【００２３】
このように、マットセンサＭによる被監視者の荷重の検知が一回だけである場合に、照明灯Ｌが点灯したままであるケースとしては、下記のケースが考えられる。第一に、被監視者が浴室の照明灯Ｌの電源スイッチＳを入り状態に操作し、浴室への入室時にマットセンサＭを踏んで、そのまま浴室を退室できなかったケース。第二に、被監視者が浴室の照明灯Ｌの電源スイッチＳを入り状態に操作し、浴室への入室時または浴室からの退室時にマットセンサＭを踏んで（すなわち、入室時および退室時の何れかでマットセンサＭを踏み忘れている）、電源スイッチＳを切り状態に操作し忘れたケース。このような二つのケースが存在するため、まず報知部６により、照明灯Ｌの電源スイッチＳを切るように案内する報知を行う。
【００２４】
このような報知が行われ、タイマ４により計測された時間が第二の所定時間以上であると照明灯状態判定部９にて判断した場合に、照明灯Ｌの電源スイッチＳが入り状態のままであると検出部５が判断したときには、制御部２は、被監視者に異常が発生したことを示す通報信号を生成してインターフェース３により管理人室の緊急通報装置へ出力する。ここで、通報信号には、居室装置１を識別するための識別信号が含まれるため、通報信号を入力した緊急通報装置では、被監視者に異常が発生した居室を特定することができる。
【００２５】
このように、タイマ４により計測された時間が第二の所定時間以上となっても照明灯Ｌの電源スイッチＳが入り状態のままである場合には、電源スイッチＳを切るように案内する報知を受けた被監視者が電源スイッチＳを切ることができなかったと考えられる。そのため、被監視者が電源スイッチＳを切り忘れたのではなく、浴室内で倒れている可能性が高いと判断される。
【００２６】
次に、本実施形態による浴室監視システムの動作事例を説明する。図３は、本実施形態による浴室監視システムの動作事例を示す図である。図３に示すように、浴室監視システムの動作パターンとしては、Ｎｏ．１からＮｏ．６までが考えられる。まず、Ｎｏ．１は、被監視者が入室時にマットセンサＭを踏み、タイマ４により計測された時間が第一の所定時間以上になる前に退室してマットセンサＭを踏んで、浴室内の照明灯Ｌを消灯させたものである。このパターンでは、正常に入浴が行われているので、通報信号は出力されない。また、報知部６も動作しない。
【００２７】
Ｎｏ．２は、被監視者が入室時にマットセンサＭを踏み、タイマ４により計測された時間が第一の所定時間以上になる前に退室してマットセンサＭを踏んで、浴室内の照明灯Ｌの消灯を忘れたものである。このパターンでも、正常に入浴が行われているので、通報信号は出力されない。また、照明灯Ｌが消灯されていないが、被監視者に異常が発生したことを通報するために利用されないため、報知部６を動作させない。
【００２８】
Ｎｏ．３は、被監視者が入室時にマットセンサＭを踏み、タイマ４により計測された時間が第一の所定時間以上になってもマットセンサＭが踏まれず、照明灯Ｌが点灯したままであり、報知部６により照明灯Ｌの消灯を促す報知が行われたものである。そして、タイマ４により計測された時間が第二の所定時間以上になっても照明灯Ｌが点灯したままであるため、通報信号が出力される。このパターンでは、被監視者に異常が発生したことを外部に通報している。
【００２９】
Ｎｏ．４は、被監視者が入室時にマットセンサＭを踏み、タイマ４により計測された時間が第一の所定時間以上になってもマットセンサＭが踏まれず、照明灯Ｌが点灯したままであり、報知部６により照明灯Ｌの消灯を促す報知が行われるものである。そして、タイマ４により計測された時間が第二の所定時間以上になる前に被監視者により照明灯Ｌが消灯されたものである。このパターンでは、被監視者が退室時にマットセンサＭを踏み忘れ、かつ、被監視者が照明灯Ｌを消灯し忘れているだけであるため、外部に通報信号は出力されない。
【００３０】
Ｎｏ．５は、被監視者が入室時にマットセンサＭを踏み忘れ、タイマ４も動作せず、退室時に初めてマットセンサＭを踏むため、この時点からタイマ４による時間の計測が開始されるものである。そのため、タイマ４により計測された時間が第一の所定時間以上になっても当然マットセンサＭは踏まれない。この状態で、照明灯Ｌが点灯したままであると、報知部６により照明灯Ｌの消灯を促す報知が行われる。そして、タイマ４により計測された時間が第二の所定時間以上になる前に被監視者により照明灯Ｌが消灯される。このパターンでは、被監視者が入室時にマットセンサＭを踏み忘れ、かつ、被監視者が照明灯Ｌを消灯し忘れているだけであるため、外部に通報信号は出力されない。
【００３１】
Ｎｏ．６は、被監視者が入室時にマットセンサＭを踏み忘れ、タイマ４も動作せず、退室時に初めてマットセンサＭを踏むため、この時点からタイマ４による時間の計測が開始されるものである。そのため、タイマ４により計測された時間が第一の所定時間以上になっても当然マットセンサＭは踏まれない。この状態で、照明灯Ｌが消灯されていると、報知部６による報知が行われない。このパターンでは、被監視者が入室時にマットセンサＭを踏み忘れただけであるため、外部に通報信号は出力されない。
【００３２】
次に、本実施形態による浴室監視システムの動作を説明する。図４は、本実施形態による浴室監視システムの動作を示すフローチャートである。まず、マットセンサＭが被監視者の荷重を検知したか否かを制御部２にて調べる（ステップＳ１）。マットセンサＭが被監視者の荷重を検知していないと制御部２にて判断した場合には（ステップＳ１にてＮＯ）、ステップＳ１の処理に戻る。一方、マットセンサＭが被監視者の荷重を検知したと制御部２にて判断した場合には、在室判定部７は、タイマ４を動作させる（ステップＳ２）。
【００３３】
そして、マットセンサＭが被監視者の荷重を検知したか否かを制御部２にて調べる（ステップＳ３）。マットセンサＭが被監視者の荷重を検知したと制御部２にて判断した場合には（ステップＳ３にてＹＥＳ）、ステップＳ８の処理へ移行する。一方、マットセンサＭが被監視者の荷重を検知していないと制御部２にて判断した場合には（ステップＳ３にてＮＯ）、在室判定部７は、タイマ４により計測した時間が第一の所定時間以上であるか否かを調べる（ステップＳ４）。
【００３４】
タイマ４により計測した時間が第一の所定時間以上ではないと在室判定部７にて判断した場合には（ステップＳ４にてＮＯ）、ステップＳ３の処理に戻る。一方、タイマ４により計測した時間が第一の所定時間以上であると在室判定部７にて判断した場合には（ステップＳ４にてＹＥＳ）、照明灯Ｌの電源スイッチＳが入りの状態であるか否かを照明灯状態判定部９にて調べる（ステップＳ５）。照明灯Ｌの電源スイッチＳが入りの状態ではないと照明灯状態判定部９にて判断した場合には（ステップＳ５にてＮＯ）、ステップＳ８の処理に移行する。
【００３５】
一方、照明灯Ｌの電源スイッチＳが入りの状態であると照明灯状態判定部９にて判断した場合には（ステップＳ５にてＹＥＳ）、照明灯状態判定部９は、タイマ４を動作させ、報知部６を動作させて、照明灯Ｌの電源スイッチＳを切るように案内する報知を行う（ステップＳ６）。
【００３６】
そして、照明灯Ｌの電源スイッチＳが入りの状態であるか否かを照明灯状態判定部９にて調べる（ステップＳ７）。照明灯Ｌの電源スイッチＳが入りの状態ではないと照明灯状態判定部９にて判断した場合には（ステップＳ７にてＮＯ）、ステップＳ８の処理へ移行する。ステップＳ８では、タイマ停止部８がタイマ４の動作を停止させ、ステップＳ１の処理に戻る。
【００３７】
また、照明灯Ｌの電源スイッチＳが入りの状態であると照明灯状態判定部９にて判断した場合には（ステップＳ７にてＹＥＳ）、照明灯状態判定部９は、タイマ４により計測した時間が第二の所定時間以上であるか否かを調べる（ステップＳ９）。タイマ４により計測した時間が第二の所定時間以上ではないと照明灯状態判定部９にて判断した場合には（ステップＳ９にてＮＯ）、ステップＳ７の処理に戻る。一方、タイマ４により計測した時間が第二の所定時間以上であると照明灯状態判定部９にて判断した場合には（ステップＳ９にてＹＥＳ）、タイマ停止部８はタイマ４の動作を停止させ、制御部２は被観察者に異常が発生したことを示す通報信号を外部に出力する（ステップＳ１０）。
【００３８】
以上詳しく説明したように、本実施形態によれば、浴室の出入口に設置されたマットセンサＭが踏まれてから第一の所定時間が経過してもマットセンサＭが再び踏まれなかった場合に、浴室内の照明灯Ｌの電源スイッチＳの状態を照明灯状態判定部９にて調べ、浴室内の照明灯Ｌの電源スイッチＳが入りの状態になっているときに、その浴室が設置されている居室に浴室内の照明灯Ｌの電源Ｓを切るように案内する報知を報知部６により行う。そして、第二の所定時間が経過しても浴室内の照明灯Ｌの電源スイッチＳが切りの状態になっていない場合には、被監視者に異常が発生したことを外部に通報するようにしている。
【００３９】
これにより、被監視者が浴室への入室時にマットセンサＭを踏んでから第一の所定時間内に再びマットセンサＭを踏んだ場合には、正常に入浴が行われたと判断される。また、被監視者が浴室への入室時のみまたは退室時のみにマットセンサＭを踏んだ場合に、浴室内の照明灯Ｌの電源スイッチＳが切り状態であるときには、浴室に入室する際に被監視者が必ず浴室内の照明灯Ｌの電源スイッチＳを入り状態にすると考えられるため、単に被監視者がマットセンサＭを踏み忘れただけであると判断して、正常に入浴が行われたと判断される。
【００４０】
また、被監視者がマットセンサＭを一度踏んでから第一の所定時間内にマットセンサＭを踏まなかった場合に、浴室内の照明灯Ｌの電源スイッチＳが入り状態であるときには、被監視者が浴室内の照明灯Ｌの電源スイッチＳを切り忘れていると判断して、浴室内の照明灯Ｌの電源スイッチＳを切るように案内する報知が第二の所定時間に渡って居室内で行われる。ここで、単に被監視者がマットセンサＭを踏み忘れただけである場合には、案内を受けて被監視者が浴室内の照明灯Ｌの電源スイッチＳを切ると考えられるため、正常に入浴が行われたと判断される。また、被監視者が浴室内で倒れているような場合には、案内を受けても被監視者が浴室内の照明灯Ｌの電源スイッチＳを切ることができないので、被監視者に異常が発生したと判断して外部に通報される。
【００４１】
従って、被監視者がマットセンサＭを踏み忘れた場合でも、浴室内の照明灯Ｌの状態により被監視者に異常が発生したか否かが判断されるので、誤報の発生頻度を減らすことができる。また、被監視者が照明灯Ｌの電源スイッチＳを切り忘れたときでも、居室内に浴室内の照明灯Ｌの電源スイッチＳを切るように案内する報知が行われて第二の所定時間が経過してから被監視者に異常が発生したことが外部に通報されるので、誤報の発生頻度を減らすことができる。
【００４２】
なお、前述した実施形態では、タイマ４、検出部５、在室判定部７、タイマ停止部８、照明灯状態判定部９を居室装置１に設けているが、これに限定されない。例えば、管理人室の緊急通報装置にこれらの構成要素を設けるようにしても良い。
【００４３】
また、前述した実施形態では、通報信号を管理人室の緊急通報装置に出力しているが、これに限定されない。例えば、被監視者の家族の住む家や外部に存在する介護業者の端末などに通報信号を出力するようにしても良い。
【００４４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４５】
１    居室装置
２    制御部
３    インターフェース
４    タイマ
５    検出部
６    報知部
７    在室判定部
８    タイマ停止部
９    照明灯状態判定部
Ｍ    マットセンサ
Ｌ    照明灯
Ｓ    電源スイッチ
【図１】
2010176502.tif 000003
【図２】
2010176502.tif 000004
【図３】
2010176502.tif 000005
【図４】
2010176502.tif 000006